(57)【要約】【課題】レバー部材を回動前の位置に戻さなくても、所定角度に回動されたレバー部材の固定保持およびその解除を行うことができる遊技機を実現する。【解決手段】レバー部材４１の把持部４１ａの内部には、板状の押圧部材４１ｃが形成されている。押圧部材４１ｃの下面は、第１の開口部４１ｋから第２の開口部４１ｂにかけて下り勾配となるテーパ状になっている。遊技球１００を第１の開口部４１ｋから収容部４１ｓの内部へ押し込むと、遊技球１００は押圧部材４１ｃのバネ力によってフランジ部４５ｂの外周面に押さえ付けられる。これにより、レバー部材４１の回動状態が保持される。また、第２の開口部４１ｂから露出している遊技球１００を指で押し出すと、レバー部材４１の回動保持状態が解除される。【選択図】　図３
2004008534.tif 000002
【特許請求の範囲】
【請求項１】
遊技盤と、
この遊技盤へ遊技球を発射する発射装置と、
遊技機の前面に取り付けられており、遊技機の正面から見た場合の外周が環状に形成されたベース部材と、
このベース部材の前記外周に沿って回動可能に設けられており、かつ、遊技者が把持する把持部が外方に突出形成されており、前記発射装置が前記遊技球を前記遊技盤へ発射する強さを調節するレバー部材と、
回動された前記レバー部材を回動前の位置に復帰させる機構とを備えた遊技機において、
前記把持部の所定個所には、前記レバー部材の回動位置を保持するための回動保持部材を収容する収容部が設けられており、
前記収容部の前記遊技者側および前記遊技機の前面側の一方には、前記回動保持部材を収容し、あるいは、その収容された前記回動保持部材を取出すための第１の開口部が形成されており、
前記収容部の前記ベース部材の周面と対向する下面は、前記収容部に収容された前記回動保持部材の一部が前記ベース部材の周面と接触可能に開口しており、
前記収容部の上面には、この収容部に収容された前記回動保持部材を前記ベース部材の周面に向けて押圧する押圧手段が設けられており、
前記回動保持部材を前記収容部に収容することにより、前記押圧手段により前記回動保持部材が前記下面に押圧され、その押圧された回動保持部材の一部が前記ベース部材の周面を押圧する状態となることにより、前記レバー部材の回動状態が保持され、
前記第１の開口部側から前記収容部に収容されている前記回動保持部材を前記第１の開口部と対向する側から前記第１の開口部側へ押すことにより、前記回動保持部材を前記第１の開口部を介して前記収容部から取出し可能なことを特徴とする遊技機。
【請求項２】
前記収容部の前記第１の開口部と対向する側には、第２の開口部が形成されていることを特徴とする請求項１に記載の遊技機。
【請求項３】
前記収容部は、収容された前記回動保持部材の一部が、前記第２の開口部から露出する状態で前記回動保持部材を収容可能であることを特徴とする請求項２に記載の遊技機。
【請求項４】
前記第１の開口部と対向する側には、前記収容部に収容された前記回動保持部材を前記収容部から押出すための押出し部材が備えられたことを特徴とする請求項１ないし請求項３のいずれか１つに記載の遊技機。
【請求項５】
前記押出し部材は、前記第２の開口部から露出した前記回動保持部材の一部によって押されることにより弾性変形する部材であることを特徴とする請求項４に記載の遊技機。
【請求項６】
前記押出し部材の前記収容部側には、前記収容部に収容された前記回動保持部材を押出す突起部が備えられたことを特徴とする請求項４または請求項５に記載の遊技機。
【請求項７】
前記把持部の所定範囲を覆うカバーと前記押出し部材とが一体形成されていることを特徴とする請求項５または請求項６に記載の遊技機。
【請求項８】
前記押圧手段は、前記収容部に収容された前記回動保持部材を前記下面に向けて押圧するバネ性を有する板状の部材を備えており、
前記板状の部材の下面と前記収容部の下面との間隔は、前記第１の開口部から前記第２の開口部に向かって進むほど、前記回動保持部材の最大幅よりも狭くなるように形成されていることを特徴とする請求項１ないし請求項７のいずれか１つに記載の遊技機。
【請求項９】
前記第１の開口部の近傍には、前記収容部に収容されている前記回動保持部材が前記収容部から脱落することを防止する脱落防止手段が備えられたことを特徴とする請求項１ないし請求項８のいずれか１つに記載の遊技機。
【請求項１０】
前記第１の開口部および前記第２の開口部の少なくとも一方は、この遊技機の前面に座った遊技者から視認可能な個所に形成されていることを特徴とする請求項２ないし請求項９のいずれか１つに記載の遊技機。
【請求項１１】
前記回動保持部材は、この遊技機における遊技に使用する金属製の遊技球であることを特徴とする請求項１ないし請求項１０のいずれか１つに記載の遊技機。
【請求項１２】
前記脱落防止手段は、前記遊技球を吸着可能な磁力を発生するものであることを特徴とする請求項１１に記載の遊技機。
【請求項１３】
前記ベース部材の周面であって、前記レバー部材を回動させた場合に前記収容部と対向する個所が前記周面上に描く軌跡上には、内方に向かってへこんだ凹部が形成されていることを特徴とする請求項１ないし請求項１２のいずれか１つに記載の遊技機。
【発明の詳細な説明】
【０００１】
【発明の属する技術分野】
本発明は、パチンコ機、アレンジボール、雀球等の遊技機に関し、特に、回動操作可能なレバー部材を所望の回動角度で固定保持する発射ハンドルを備える遊技機に関するものである。
【０００２】
【従来の技術】
この種の遊技機として、パチンコ機を例に挙げて説明する。
図１５は、そのパチンコ機に備えられた発射ハンドルおよび発射装置の構成を示す分解斜視図である。なお、以下の説明では、パチンコ機の正面に座った遊技者側を前方とし、パチンコ機側を後方とする。
発射ハンドル１４０には、ベース部材１４５が備えられている。ベース部材１４５は、略円柱形状の基部１４５ａと、この基部１４５ａの前部に形成されたフランジ形状のフランジ部１４５ｂとを備える。そのフランジ部１４５ｂの外周は、前面から見て環状に形成されている。フランジ部１４５ｂには、発射モータ１６２を起動する発射スイッチ１５１と、その起動を停止させる発射停止ボタン１５０とが装着されている。パチンコ機の前面に設けられた前枠１１２には、円筒形状のベース取付部１１２ａが突出形成されており、そのベース取付部１１２ａにベース部材１４５の基部１４５ａが挿入されている。
【０００３】
パチンコ機の内部には、発射モータ１６２と、この発射モータ１６２の駆動により遊技球を打撃して発射する打撃子１６３と、この打撃子１６３の打撃力を調節する打撃力調節機構１６１とが備えられている。
ベース部材１４５の中心には、軸受け部材１５２を介してハンドルシャフト１４３が前後方向に挿通されており、そのハンドルシャフト１４３の後端は、打撃力調節機構１６１と連結されている。
ハンドルシャフト１４３の前端に切り欠き形成された回り止め部１４３ａには、レバー部材１４１の回動中心が挿通されている。つまり、レバー部材１４１を回動させると、ハンドルシャフト１４３が回動し、打撃力調節機構１６１が操作され、打撃子１６３の打撃力が調節される。なお、打撃力調節機構１６１には、回動されたハンドルシャフト１４３を回動前の位置へ復帰させるバネ機構が備えられている。
レバー部材１４１の後部は、フランジ部１４５ｂの外周に被せられており、レバー部材１４１は、フランジ部１４５ｂの外周に沿って回動可能になっている。
【０００４】
レバー部材１４１の前部には、円板形状のタッチセンサ１４７が取付けられており、そのタッチセンサ１４７の前部には、半球形状のハンドルカバー１４９が取り付けられている。
遊技者の手がタッチセンサ１４７の周面に触れると、発射スイッチ１５１がＯＮし、発射モータ１６２が駆動可能な状態になる。そして、レバー部材１４１を前記バネ機構による復元力に抗して右方向に回動させると、発射モータ１６２が駆動し、打撃力調節機構１６１により、レバー部材１４１の回動角度に対応した打撃力に調節され、その打撃力にて打撃子１６３が遊技球を打撃し、その打撃された遊技球が遊技盤へ発射される。
【０００５】
しかし、上記構造の発射ハンドルは、レバー部材１４１を回動前の位置に復帰させるためのバネ機構が備えられているため、レバー部材１４１を手から離すと、レバー部材１４１が上記バネ機構による復元力によって回動前の位置に戻ってしまうため、レバー部材１４１を所望の位置に回動させた状態を保持することができないという問題があった。
そこで、その問題を解決するため、例えば、特開２０００−１６７１２６号公報に記載の発射ハンドルが提案されている。図１６は、その発射ハンドルの断面を裏面から見た説明図である。
発射ハンドル３０は、ベース部材３１の外周面にレバー部材３２を回動可能に被せて構成されている。レバー部材３２の外周には、指掛突起部３３，３４，３５がそれぞれ突出形成されている。指掛突起部３５の裏面には、遊技球Ｂを嵌入する凹部３６が形成されており、その凹部３６と対応するベース部材３１の外周面には、固定保持解除部３７がへこみ形成されている。
【０００６】
図中実線で示すように、レバー部材３２が回動していない（回動角度が０）の場合には、凹部３６と固定保持解除部３７とが対向した状態となり、凹部３６および固定保持解除部３７により形成された空間に遊技球Ｂを嵌入可能となる。そして、上記空間に遊技球Ｂが嵌入された状態でレバー部材３２を図中矢印で示す方向（パチンコ機の正面から見ると時計回り）に回動させると、遊技球Ｂは、固定保持解除部３７が形成されていない部分に乗り上げた形になるため、遊技球Ｂは、ベース部材３１の外周面に圧接され、レバー部材３２の回動状態が保持される（図中想像線で示す状態）。
また、レバー部材３２を回動前の位置まで戻し、遊技球Ｂを凹部３６から取出すことにより、レバー部材３２の回動保持状態を解除する。
【０００７】
【発明が解決しようとする課題】
しかしながら、従来のパチンコ機に備えられた発射ハンドル３０は、レバー部材３２を回動させていない位置に戻さなければ、凹部３６から遊技球Ｂを取出し、レバー部材３２が所定角度で回動された固定保持状態を解除することができない。また、レバー部材３２を回動させていない状態でなければ、凹部３６に遊技球Ｂを嵌入し、レバー部材３２を所定角度に回動させた固定保持状態を作ることができない。
つまり、前記従来のパチンコ機に備えられた発射ハンドル３０は、レバー部材３２を所定角度に回動させた位置で固定保持した状態を作ったり、その状態を解除したりする度に、レバー部材３２を回動前の位置に戻さなければならないため、非常に手間がかかるという問題がある。
【０００８】
また、前記従来のパチンコ機に備えられた発射ハンドルは、所定角度に回動されたレバー部材の固定保持状態を解除する場合、凹部３６に嵌入された遊技球がベース部材を圧接した状態でレバー部材３２を回動前の位置まで強引に回動させなければならないため、遊技球とベース部材３１との摩擦力によって遊技者の手にかかる負担が大きいという問題もある。
【０００９】
さらに、前記従来のパチンコ機に備えられた発射ハンドル３０は、凹部３６に遊技球Ｂを嵌入した状態でレバー部材３２の回動を繰り返すと、ベース部材３１の周面のうち、遊技球Ｂが圧接して軌跡を描く部分がすり減ってしまい、適当な圧接力が作用しなくなり、レバー部材３２を所定角度に回動した状態で固定保持することができなくなるという問題もある。
【００１０】
そこで、この発明は、上述した各問題を解決するためになされたものであり、その目的とするところは、レバー部材を回動前の位置に戻さなくても、所定角度に回動されたレバー部材の固定保持およびその解除を行うことができる遊技機を提供することにある。
【００１１】
【課題を解決するための手段、および発明の作用・効果】
この発明は、上記目的を達成するため、請求項１ないし請求項１３に記載の遊技機では、遊技盤と、この遊技盤へ遊技球を発射する発射装置と、遊技機の前面に取り付けられており、遊技機の正面から見た場合の外周が環状に形成されたベース部材と、このベース部材の前記外周に沿って回動可能に設けられており、かつ、遊技者が把持する把持部が外方に突出形成されており、前記発射装置が前記遊技球を前記遊技盤へ発射する強さを調節するレバー部材と、回動された前記レバー部材を回動前の位置に復帰させる機構とを備えた遊技機において、前記把持部の所定個所には、前記レバー部材の回動位置を保持するための回動保持部材を収容する収容部が設けられており、前記収容部の前記遊技者側および前記遊技機の前面側の一方には、前記回動保持部材を収容し、あるいは、その収容された前記回動保持部材を取出すための第１の開口部が形成されており、前記収容部の前記ベース部材の周面と対向する下面は、前記収容部に収容された前記回動保持部材の一部が前記ベース部材の周面と接触可能に開口しており、前記収容部の上面には、この収容部に収容された前記回動保持部材を前記ベース部材の周面に向けて押圧する押圧手段が設けられており、前記回動保持部材を前記収容部に収容することにより、前記押圧手段により前記回動保持部材が前記下面に押圧され、その押圧された回動保持部材の一部が前記ベース部材の周面を押圧する状態となることにより、前記レバー部材の回動状態が保持され、前記第１の開口部側から前記収容部に収容されている前記回動保持部材を前記第１の開口部と対向する側から前記第１の開口部側へ押すことにより、前記回動保持部材を前記第１の開口部を介して前記収容部から取出し可能なことを技術的特徴とする。
【００１２】
レバー部材の外方へ突出形成されている把持部には、回動保持部材を収容する収容部が設けれており、収容部の遊技者側および遊技機の前面側の一方には、第１の開口部が形成され、収容部の上面には、収容された回動保持部材を押圧する押圧手段が設けられている。そして、回動保持部材を収容部に収容すると、押圧手段が回動保持部材をベース部材の周面に押圧することによりレバー部材が回動位置にて保持される。一方、収容部に収容された回動保持部材を第１の開口部と対向する側から第１の開口部側へ押すと、回動保持部材が収容部から取り出され、レバー部材の回動位置における保持状態が解除される。
つまり、発射ハンドルに備えられたレバー部材を回動前の位置に復帰させなくても、収容部に収容されている回動保持部材を取出すことができるため、レバー部材の回動位置が保持された状態を解除することができる。また、レバー部材を回動前の位置に復帰させなくても、レバー部材の回動位置で収容部に回動保持部材を収容することができるため、レバー部材の回動位置が保持された状態を作ることができる。
したがって、従来のように、レバー部材の回動位置が保持された状態を作ったり、その状態を解除したりする度に、レバー部材を回動前の位置に復帰させる必要がないため、手間がかからない。
【００１３】
また、従来のように、遊技球（この発明の回動保持部材に対応）がベース部材を圧接した状態でレバー部材を回動前の位置まで強引に回動させてから遊技球を取出す必要がないため、遊技球とベース部材との摩擦力によって遊技者の手に負担がかかることもない。
さらに、ベース部材の周面のうち、遊技球が圧接して軌跡を描く部分がすり減ってしまい、適当な圧接力が作用しなくなり、レバー部材を所定角度に回動した状態で固定保持することができなくなることもない。
【００１４】
請求項２に記載の遊技機では、請求項１に記載の遊技機において、前記収容部の前記第１の開口部と対向する側には、第２の開口部が形成されていることを技術的特徴とする。
【００１５】
つまり、第１の開口部と対向する側には、第２の開口部が形成されているため、遊技者は、第２の開口部を介して、収容部に収容された回動保持部材を第２の開口部側から第１の開口部側へ押すことで収容部に収容された回動保持部材を取り出すことができる。
したがって、レバー部材を回動前の位置に復帰させることなく、容易にレバー部材の回動位置が保持された状態を解除することができる。
【００１６】
請求項３に記載の遊技機では、請求項２に記載の遊技機において、前記収容部は、収容された前記回動保持部材の一部が、前記第２の開口部から露出する状態で前記回動保持部材を収容可能であることを技術的特徴とする。
【００１７】
つまり、収容部は、回動保持部材の一部を第２の開口部から露出する状態で回動保持部材を収容するため、遊技者は、第２の開口部から露出した回動保持部材の一部を第２の開口部側から第１の開口部側へ押すことで収容部に収容された回動保持部材を収容部から取り出すことが可能となる。
したがって、収容部に収容された回動保持部材の一部が第２の開口部から露出しない場合と比較して、収容部に収容された回動保持部材をより一層簡単に取り出すことができる。
【００１８】
請求項４に記載の遊技機では、請求項１ないし請求項３のいずれか１に記載の遊技機において、前記第１の開口部と対向する側には、前記収容部に収容された前記回動保持部材を前記収容部から押出すための押出し部材が備えられたことを技術的特徴とする。
【００１９】
つまり、収容部に収容された回動保持部材を押し出すための押出し部材が第２の開口部に設けられているため、収容部に収容された回動保持部材を直接指で第１の開口部と対向する側から第１の開口部側へ押す場合と比較して、簡単に収容部に収容された回動保持部材を収容部から取り出すことができる。
したがって、容易にレバー部材の回動位置が保持された状態を解除することができる。
【００２０】
請求項５に記載の遊技機では、請求項４に記載の遊技機において、前記押出し部材は、前記第２の開口部から露出した前記回動保持部材の一部によって押されることにより弾性変形する部材であることを技術的特徴とする。
【００２１】
つまり、第２の開口部に設けられている押出し部材は、第２の開口部から露出した回動保持部材の一部によって押されると、弾性変形する部材であるため、その変形した部分を見ることにより、回動保持部材が収容部に収容されていることが容易に分かる。また、収容部に収容された回動保持部材を第２の開口部側から第１の開口部側へ押す際に、押出し部材を押圧する指にかかる力を緩和することができる。
【００２２】
請求項６に記載の遊技機では、請求項４または請求項５に記載の遊技機において、前記押出し部材の前記収容部側には、前記収容部に収容された前記回動保持部材を押出す突起部が備えられたことを技術的特徴とする。
【００２３】
つまり、押出し部材の収容部側には、収容部に収容された回動保持部材を押し出すための突起部が設けられているため、回動保持部材を突起部に当接するまで収容部に収容すれば、その回動保持部材は、既に第１の開口部側に寄った状態になるので、突起部を介して収容部に収容された回動保持部材を押し出せば、突起部を介さないで直接押し出す場合よりも小さいストロークで収容部に収容された回動保持部材を取り出すことができる。
したがって、収容部に収容された回動保持部材を直接指で第２の開口部側から第１の開口部側へ押す場合と比較して、容易にレバー部材の回動位置が保持された状態を解除することができる。
【００２４】
請求項７に記載の発明では、請求項５または請求項６に記載の遊技機において、前記把持部の所定範囲を覆うカバーと前記押出し部材とが一体形成されていることを技術的特徴とする。
【００２５】
つまり、把持部の所定範囲を覆うカバーと押出し部材とが一体形成されているため、把持部を覆うものと押出し部材とを兼用できる。
したがって、把持部を覆うものと押出し部材とを個別に設けた構成と比較して、部品点数を減少させることができるため、遊技機の製造コストを低減することができる。
【００２６】
請求項８に記載の遊技機では、請求項１ないし請求項７のいずれか１に記載の遊技機において、前記押圧手段は、前記収容部に収容された前記回動保持部材を前記下面に向けて押圧するバネ性を有する板状の部材を備えており、前記板状の部材の下面と前記収容部の下面との間隔は、前記第１の開口部から前記第２の開口部に向かって進むほど、前記回動保持部材の最大幅よりも狭くなるように形成されていることを技術的特徴とする。
【００２７】
押圧手段は、収容部に収容された回動保持部材を押圧するバネ性を有する板状の部材を備えており、この板状の部材の下面と収容部の下面との間隔が第１の開口部から第２の開口部に向かって進むほど回動保持部材の最大幅より狭くなるように形成されている。
これにより、回動保持部材を収容部に収容する際に、回動保持部材が第１の開口部から第２の開口部に向かって進むほど、バネ性を有する板状の部材が回動保持部材を収容部の下面に押圧する力が強くなるため、回動保持部材を収容部に第１の開口部から第２の開口部に向かって押し込むだけのワンタッチ動作でレバー部材の回動位置を保持するのに必要な押圧力を発生させることができる。また、収容部に収容されている回動保持部材を第２の開口部から第１の開口部に向かって押すというワンタッチ動作で回動保持部材を収容部から取り出すことが可能となる。
したがって、操作性を飛躍的に向上させることができる。
【００２８】
請求項９に記載の遊技機では、請求項１ないし請求項８のいずれか１に記載の遊技機において、前記第１の開口部の近傍には、前記収容部に収容されている前記回動保持部材が前記収容部から脱落することを防止する脱落防止手段が備えられたことを技術的特徴とする。
【００２９】
つまり、収容部に収容されている回動保持部材が収容部から脱落することを防止する脱落防止手段を第１の開口部の近傍に備えているため、収容部から取り出した回動保持部材が第１の開口部から下方に脱落してしまうおそれがない。
したがって、遊技者は、回動保持部材の脱落を心配することなく、収容部に収容されている回動保持部材を第１の開口部と対向する側から第１の開口部側へ押して取出すことができる。
【００３０】
請求項１０に記載の遊技機では、請求項２ないし請求項９のいずれか１に記載の遊技機において、前記第１の開口部および前記第２の開口部の少なくとも一方は、この遊技機の前面に座った遊技者から視認可能な個所に形成されていることを技術的特徴とする。
【００３１】
第１の開口部および第２の開口部の少なくとも一方は、遊技機の前面に座った遊技者から視認することができる個所に形成されている。
これにより、遊技機の前面に座った遊技者は、第１の開口部および第２の開口部の少なくとも一方によって、回動保持部材を収容する収容部の個所を視認できるため、視認できない個所に開口部が形成されている従来のように、遊技者が手探りで開口部を探す必要がない。このため、すぐに回動保持部材を収容部に収容することができる。また、遊技機の前面に座った遊技者は、第１の開口部および第２の開口部のうち、視認できる方の開口部を介して、回動保持部材が収容部に収容されているか否かを容易に判断することができる。
したがって、従来のように視認できない個所に開口部が形成されている構成のように、回動保持部材が収容されているか否かの判断に困るおそれがない。
【００３２】
請求項１１に記載の遊技機では、請求項１ないし請求項１０のいずれか１に記載の遊技機において、前記回動保持部材は、この遊技機における遊技に使用する金属製の遊技球であることを技術的特徴とする。
【００３３】
つまり、回動保持部材は、この遊技機における遊技に使用する金属製の遊技球であるため、遊技に用いる遊技球をそのまま回動保持部材として利用することができる。
したがって、回動保持部材を別途用意する必要がないため、非常に便利である。
【００３４】
請求項１２に記載の遊技機では、請求項１１に記載の遊技機において、前記脱落防止手段は、前記遊技球を吸着可能な磁力を発生するものであることを技術的特徴とする。
【００３５】
つまり、脱落防止手段は、磁力を発生するものであるため、収容部から取り出された金属製の遊技球を吸着することができる。このため、収容部から取り出した遊技球が下方に脱落し、失ってしまうおそれがない。
したがって、遊技者は、収容部に収容されている遊技球を安心して第１の開口部と対向する側から第１の開口部側へ押すことができる。なお、磁力を発生するものとは、例えば、金属製の磁石やゴム製の磁石等である。
【００３６】
請求項１３に記載の発明では、請求項１ないし請求項１２のいずれか１つに記載の遊技機において、前記ベース部材の周面であって、前記レバー部材を回動させた場合に前記収容部と対向する個所が前記周面上に描く軌跡上には、内方に向かってへこんだ凹部が形成されていることを技術的特徴とする。
【００３７】
つまり、回動保持部材を収容部に強く押し込み過ぎて押圧手段の押圧力が過剰となり、回動保持部材を取出すことができなくなってしまった場合であっても、レバー部材を上記凹部の位置まで回動すれば、回動保持部材とベース部材の周面との間隔が広がり、押圧力を低下させることができるため、回動保持部材を取出すことができる。
また、多くの遊技者がレバー部材の回動状態を保持する個所に上記凹部を形成することもできる。収容部に収容された回動保持部材の一部が上記凹部にはまった状態で押圧手段により押圧されている状態では、回動保持部材が凹部から離脱しようとすると、押圧部材の下面とベース部材の周面との間隔が小さくなろうとするため、押圧力に対する反作用により、押圧力が増大することになるので、回動保持部材が凹部から離脱することが困難となる。
したがって、上記凹部を利用しない場合よりも、レバー部材の回動状態をより一層強固に保持することができる。
また、逆に、上記凹部を利用すれば、凹部を利用しない場合よりも小さな押圧力で回動保持部材を押圧してもレバー部材の回動状態を保持することができるため、収容部に収容されている回動保持部材を収容部から取り出す際に、第１の開口部と対向する側から第１の開口部側へ押す力が小さくて済む。
【００３８】
【発明の実施の形態】
以下、この発明に係る遊技機の実施形態について図を参照して説明する。なお、以下の各実施形態では、この発明に係る遊技機として、パチンコ機を例に挙げて説明する。
＜第１実施形態＞
まず、第１実施形態のパチンコ機の主要構成について図１を参照して説明する。図１は、本実施形態のパチンコ機の正面図である
【００３９】
パチンコ機１０には、外枠１１が備えられており、その外枠１１には、前枠１２が上下一対のヒンジ１４によりに開閉可能に備えられており、その前枠１２には、ガラス板１３がはめ込まれたガラス枠１６が開閉可能に取付けられている。前枠１２の右側には、ガラス枠１６開閉用の鍵を差し込む鍵穴１５が設けられている。ガラス枠１６の内側には、遊技盤１７が設けられており、前枠１２の右側下方には、遊技球を遊技盤１７へ発射する発射装置を操作するための発射ハンドル４０が回動可能に取付けられている。
ガラス枠１６の下方には、賞球や貸球が排出される賞球・貸球排出口１９が形成されており、この賞球・貸球排出口１９の排出側には、その賞球・貸球排出口１９から排出された賞球や貸球を溜めておくための上受け皿２０が取り付けられている。上受け皿２０の下方には、上受け皿２０の収容可能数を超えて流下した賞球や上受け皿球抜きレバー２５の操作により上受け皿２０から排出された遊技球などを排出する排出口２１が形成されている。排出口２１の排出側には、その排出口２１から排出された遊技球を収容しておくための下受け皿２２が設けられている。また、遊技盤１７の上方には、枠ランプ１８が設けられている。
そして、上受け皿２０から発射装置に供給された遊技球が、発射ハンドル４０の操作により遊技盤１７へ発射されると、その遊技球は、図示しない釘の間を乱舞しながら流下する。この流下途中で、入賞口（たとえば、入賞口２３）に入賞すると、所定個数の賞球が賞球・貸球排出口１９から上受け皿２０に排出される。なお、発射装置は、図１５に示したものと同一であるため説明を省略する。
【００４０】
次に、この遊技機の特徴である発射ハンドル４０の構造について図２および図３を参照して説明する。
図２（Ａ）は、発射ハンドル４０の近傍を示す正面図であり、図２（Ｂ）は、図２（Ａ）の右側面図であり、図２（Ｃ）は、図２（Ｂ）に示す発射ハンドル４０のＡ−Ａ矢視断面説明図である。図３（Ａ）は、収容部に収容された遊技球によりレバー部材の回動状態が保持された状態を示す右側面図であり、図３（Ｂ）は、図３（Ａ）において破線で囲んだ範囲Ｃの断面図を拡大して示す説明図である。図３（Ｃ）は、図３（Ａ）に示す状態から収容部に収容されていた遊技球が取り出されたところを示す説明図であり、図３（Ｄ）は、図３（Ｃ）において破線で囲んだ範囲Ｄの断面図を拡大して示す説明図である。図３（Ｅ）は、図３（Ｂ）において破線で囲んだ範囲Ｅを拡大して示す説明図であり、図３（Ｆ）は、図２（Ｃ）に示すレバー部材の裏面の一部を拡大して示す説明図である。
なお、以下の説明では、パチンコ機１０の正面に座った遊技者側を前方とし、パチンコ機１０側を後方とする。また、図１５に示した従来の発射ハンドルおよび発射装置と同一の構成については、一部を省略して説明する。
【００４１】
発射ハンドル４０には、ベース部材４５が備えられている。ベース部材４５は、略円柱形状の基部４５ａと、この基部４５ａの前部に形成されたフランジ形状のフランジ部４５ｂとを備える。そのフランジ部４５ｂの外周は、前方から見て環状に形成されている。ベース部材４５の中心には、ハンドルシャフト４３が前後方向に挿通されており、そのハンドルシャフト４３の後端は、図示しない打撃力調節機構と連結されている。
ハンドルシャフト４３の前端には、レバー部材４１の回動中心が挿通されており、レバー部材４１を回動させると、ハンドルシャフト４３が回動し、打撃力調節機構が操作され、打撃子の打撃力が調節される。なお、打撃力調節機構には、回動されたハンドルシャフト４３を回動前の位置へ復帰させるバネ機構が備えられている。
レバー部材４１の後部は、フランジ部４５ｂの外周に被せられており、レバー部材４１は、フランジ部４５ｂの外周に沿って回動可能になっている。
レバー部材４１の前部には、円板形状のタッチセンサ４７が取付けられており、そのタッチセンサ４７の前部には、半球形状のハンドルカバー４９が取り付けられている。
【００４２】
図２（Ａ）に示すように、レバー部材４１の周面の一部には、遊技者が把持する把持部４１ａが外方に向けて突出形成されている。遊技者は、右手親指の内側を把持部４１ａの左端に引っ掛け、その他の指を把持部４１ａに形成された凹凸部に乗せる恰好で把持部４１ａを把持する。
把持部４１ａの前面には、円形の第２の開口部４１ｂが開口形成されている。図３（Ｆ）に示すように、把持部４１ａの裏面には、後方に向かって開口した凹形状に形成されており、その部分は、裏面から後方に向けて突出形成された複数のリブ壁によって凹部Ｗ１，Ｗ２，Ｗ３に仕切られている。凹部Ｗ１には、板状の押圧部材４１ｃが把持部４１ａの裏面から後方に向けて突出形成されている。押圧部材４１ｃの下側の板面は、フランジ部４５ｂの外周面と対向している。
【００４３】
レバー部材４１の内周を形成する部分のうち、押圧部材４１ｃの下側の板面と対向する部分は、押圧部材４１ｃの下側の板面に対応する面積程度に切り欠き形成されており、その切り欠きにより、リブ壁４１ｅ，４１ｇが形成されている。
凹部Ｗ１の内側には、リブ壁４１ｄ，４１ｆが突出形成されている。リブ壁４１ｄ，４１ｆの基部は、凹部Ｗ１の内側とそれぞれ一体形成されており、リブ壁４１ｄの先端は、リブ壁４１ｇの先端方向に延びており、リブ壁４１ｆの先端は、リブ壁４１ｅの先端方向に延びている。押圧部材４１ｃの下側の板面と、リブ壁４１ｄ〜４１ｇの各先端と、押圧部材４１ｃの下側の板面と対向するフランジ部４５ｂの外周面とによって囲まれた空間が、遊技球１００を収容する収容部４１ｓを形成している。また、収容部４１ｓを挟んで第２の開口部４１ｂと対向する開口部が第１の開口部４１ｋとなっている。さらに、遊技球１００を第１の開口部４１ｋから収容部４１ｓに押し込むとき、押圧部材４１ｃの下面およびリブ壁４１ｄ〜４１ｇの各先端は、遊技球１００を収容部４１ｓに案内する役割をする。
【００４４】
図３（Ｅ）に示すように、押圧部材４１ｃの基部は、把持部４１ａの裏面と一体形成されており、先端は、自由端になっている。押圧部材４１ｃは、第２の開口部４１ｂから第１の開口部４１ｋに向かうほど上り勾配となるテーパ形状になっている。つまり、押圧部材４１ｃの下側の板面と、その板面と対向するフランジ部４５ｂの外周面との間隔は、収容部４１ｓの入り口である第１の開口部４１ｋから第２の開口部４１ｂに進むにつれて次第に狭くなっている。第１の開口部４１ｋの高さＨ１は、第２の開口部４１ｂの高さＨ２よりも高くなっている。高さＨ１は、遊技球１００の直径よりも僅かに大きく、高さＨ２は、遊技球１００の直径よりも僅かに小さい。
また、リブ壁４１ｄの先端とリブ壁４１ｇの先端との間隔は、遊技球１００の直径よりも僅かに大きく、リブ壁４１ｆの先端とリブ壁４１ｅの先端との間隔も遊技球１００の直径よりも僅かに大きい。
つまり、収容部４１ｓは、第１の開口部４１ｋから遊技球１００を押し込み可能な大きさに形成されている。また、高さＨ２は、図３（Ｂ）に示すように、収容部４１ｓに押し込まれた遊技球１００の一部が第２の開口部４１ｂから外方に突出する程度に設定されている。
【００４５】
この実施形態では、把持部４１ａは、合成樹脂により形成されており、押圧部材４１ｃも上記合成樹脂により把持部４１ａと一体形成されている。
つまり、押圧部材４１ｃは、合成樹脂により板状に形成されており、基部が固定され、先端が自由端になっているため、バネ性を有する。
このため、第１の開口部４１ｋから遊技球１００を収容部４１ｓに押し込む場合、押圧部材４１ｃが遊技球１００の頭部を下方に押圧する押圧力に抗しながら遊技球１００を第２の開口部４１ｂに向けて押し進めることになり、第２の開口部４１ｂに近づくにつれて上記押圧力が次第に増大し、遊技球１００の下部がフランジ部４５ｂの外周面に強く押し付けられる。これにより、レバー部材４１がフランジ部４５ｂの外周面に沿って滑らないため、レバー部材４１の回動状態を保持することができる。
また、上記押圧力のうち、フランジ部４５ｂの外周面に向かう力のモーメントの方が、第１の開口部４１ｋに向かう力のモーメントよりも大きく、かつ、遊技球１００の頭部と押圧部材４１ｃの下面との間に発生する摩擦力と、遊技球１００の下部とフランジ部４５ｂとの間に発生する摩擦力とが存在するため、遊技球１００が第１の開口部４１ｋに向かって滑って移動してしまうおそれがない。
したがって、レバー部材４１の回動状態を確実に保持することができる。
【００４６】
また、第２の開口部４１ｂから突出している遊技球１００の一部を指で第１の開口部４１ｋの方向に押すと、遊技球１００は、前記押圧力および摩擦力に抗しながら第１の開口部４１ｋに向かって移動し、図３（Ｃ）に示すように、第１の開口部４１ｋから外方へ脱落する。これにより、レバー部材４１の回動保持状態が解除されるため、レバー部材４１を回動前の位置に戻したり、あるいは回動位置を変更したりすることができる。
【００４７】
［第１実施形態の効果］
（１）以上のように、第１実施形態のパチンコ機１０を使用すれば、発射ハンドル４０に備えられたレバー部材４１を所望の位置まで回動させた状態で、遊技球１００を第１の開口部４１ｋから収容部４１ｓへ押し込むだけでレバー部材４１の回動が保持された状態を作ることができる。また、レバー部材４１の回動が保持された状態で収容部４１ｓから遊技球１００を取り出し、レバー部材４１の回動が保持された状態を解除することができる。
したがって、従来のように、レバー部材の回動された状態を保持したり、その保持を解除したりする度にレバー部材を回動前の位置まで戻す必要がないため、手間がかからない。
【００４８】
（２）しかも、従来のように、遊技球がベース部材を圧接した状態でレバー部材を回動前の位置まで強引に回動させてから遊技球を取出す必要がないため、遊技球とベース部材との摩擦力によって遊技者の手に負担がかかることもない。
（３）また、ベース部材の周面のうち、遊技球が圧接して軌跡を描く部分がすり減ってしまい、適当な圧接力が作用しなくなり、レバー部材を所定角度に回動した状態で固定保持することができなくなることもない。
（４）さらに、第１の開口部４１ｋと対向する側には、第２の開口部４１ｂが形成されているため、遊技者は、第２の開口部４１ｂを介して、収容部４１ｓに収容された遊技球１００を第２の開口部４１ｂから第１の開口部４１ｋへ押すことで収容部４１ｓに収容された遊技球１００を取り出すことができる。
したがって、レバー部材４１を回動前の位置に復帰させなくても、容易にレバー部材４１の回動位置が保持された状態を解除することができる。
【００４９】
（５）収容部４１ｓは、収容された遊技球１００の一部が、第２の開口部４１ｂから露出する状態で遊技球１００を収容することができるため、遊技者は、第２の開口部４１ｂから露出した遊技球１００の一部を第２の開口部４１ｂから第１の開口部４１ｋへ押すことで収容部４１ｓに収容された遊技球１００を収容部４１ｓから取り出すことができる。
したがって、収容部４１ｓに収容された遊技球１００の一部が第２の開口部４１ｂから露出しない場合と比較して、収容部４１ｓに収容された遊技球１００をより一層簡単に取り出すことができる。
【００５０】
（６）収容部４１ｓに収容された遊技球１００をフランジ部４５ｂに向けて押圧するバネ性を有する押圧部材４１ｃを備えており、押圧部材４１ｃの下面とフランジ部４５ｂの外周面との間隔は、第１の開口部４１ｋから第２の開口部４１ｂに向かって進むほど、遊技球１００の直径よりも狭くなるように形成されているため、遊技球１００が第１の開口部４１ｋから第２の開口部４１ｂに向かって進むほど、押圧部材４１ｃの押圧力が強くなるので、遊技球１００を収容部４１ｓに第１の開口部４１ｋから第２の開口部４１ｂに向かって押し込むというワンタッチ動作だけでレバー部材４１の回動位置を保持するのに必要な押圧力を発生させることができる。また、収容部４１ｓに収容されている遊技球１００を第２の開口部４１ｂから第１の開口部４１ｋに向かって押すというワンタッチ動作で遊技球を収容部４１ｓから取り出すことができる。
したがって、操作性を飛躍的に向上させることができる。
【００５１】
（７）第２の開口部４１ｂが、パチンコ機１０の前面に座った遊技者から視認可能な個所に形成されているため、その第２の開口部４１ｂと連通する収容部４１ｓの場所を容易に知ることができるため、視認できない個所に開口部が形成されている従来のように、遊技者が手探りで開口部を探す必要がない。このため、すぐに遊技球１００を収容部４１ｓに収容することができる。また、パチンコ機１０の前面に座った遊技者は、第２の開口部４１ｂから遊技球１００の一部が突出しているか否かを見ることにより、遊技球１００が収容部４１ｓに収容されているか否かを容易に判断することができる。特に、遊技球１００には金属特有の光沢があるため、良く目立つので、より一層容易に判断することができる。
したがって、従来のように視認できない個所に開口部が形成されている構成のように、遊技球が収容されているか否かの判断に困るおそれがない。
（８）パチンコ機１０の遊技に使用する金属製の遊技球１００を使用するため、レバー部材４１の回動状態を保持するための部材を別途用意する必要がないので、非常に便利である。
【００５２】
［変更例］
（１）第１の開口部４１ｋが把持部４１ａの遊技者側に形成されており、第２の開口部４１ｂが把持部４１ａの裏面に形成されており、押圧部材４１ｃの基部が把持部４１ａの裏面と一体形成されており、先端部がやや上り勾配で前方に延びた構造に変更することもできる。この構造を使用すれば、遊技者は、遊技球を見ながら収容部４１ｓに押し込むことができるため、容易にレバー部材４１の回動状態を保持することができる。
（２）押圧部材４１ｃの板厚を変更することにより、押圧力を変更することができる。たとえば、全体の板厚を厚くすることにより、押圧部材４１ｃのバネ力を大きくすることができ、薄くすることにより、バネ力を小さくすることができる。また、第１の開口部４１ｋから第２の開口部４１ｂに近づくにつれて、板厚が厚くなるように押圧部材４１ｃを形成することもできる。さらに、上面はフランジ部４５ｂの外周面に対して平行であり、下面は第１の開口部４１ｋから第２の開口部４１ｂに近づくにつれて下り勾配となるくさび形状に押圧部材４１ｃを形成してもよい。
（３）押圧部材４１ｃを金属または硬質ゴムにより形成し、その基部を把持部４１ａに固着してもよい。その固着方法として、把持部４１ａを合成樹脂により製造するときに押圧部材４１ｃをインサート成形する方法を用いることができる。
（４）把持部４１ａの全体または収容部４１ｓの周囲を透明、あるいは透光性を有する材料により形成することもできる。この構成を使用すれば、収容部４１ｓに遊技球１００が収容されているどうかを瞬時に判断することができる。
【００５３】
＜第２実施形態＞
次に、この発明の第２実施形態について図４を参照して説明する。
この実施形態のパチンコ機は、収容部から取り出した遊技球が落下しないようにすることができることを特徴とする。
図４（Ａ）は、この実施形態のパチンコ機に備えられた発射ハンドルをパチンコ機の前面と平行に切断した場合の断面を裏面から見た説明図であり、図４（Ｂ）は、図４（Ａ）に示す発射ハンドルにおいて収容部に遊技球がはめ込まれている状態をパチンコ機の前面と直交する方向に切断した場合の断面説明図であり、図４（Ｃ）は、図４（Ｂ）において収容部から離脱しようとした遊技球が磁石に吸着された状態を示す断面説明図である。なお、第１実施形態と同一の構成については同一の符号を使用し、説明を省略する。
【００５４】
収容部４１ｓの上方には、リブ壁４１ｈが形成されている。リブ壁４１ｈの基部は把持部４１ａの内壁と一体形成されており、先端部は、収容部４１ｓに向けて垂直に延びている。リブ壁４１ｈの裏面には、磁石５３が固着されている。磁石５３は、その下面がリブ壁４１ｈの下面から僅かに下方に突出した形態で固着されている。
したがって、図４（Ｂ）に示すように、収容部４１ｓに押し込まれている遊技球１００を第２の開口部４１ｂから第１の開口部４１ｋに向かって押した場合に、遊技球１００が勢い余って第１の開口部４１ｋから飛び出ようとしても、図４（Ｃ）に示すように、遊技球１００は磁石５３の下面に吸着されるため、遊技球１００が落下するおそれがない。
【００５５】
［第２実施形態の効果］
以上のように、第２実施形態のパチンコ機１０を使用すれば、第１の開口部４１ｋの外側近傍に磁石５３を備えるため、収容部４１ｓから離脱しようとする遊技球を磁石５３に吸着させることができるので、収容部４１ｓから取り出した遊技球１００が下方に脱落してしまい、失ってしまうおそれがない。
したがって、遊技者は、収容部４１ｓに収容されている遊技球１００を安心して第２の開口部４１ｂから第１の開口部４１ｋに向かって押すことができる。
【００５６】
［変更例］
（１）磁石５３は、金属製の磁石でもよいし、ゴム製の磁石（いわゆるゴム磁石など）でもよい。
（２）磁石５３は、磁力、大きさおよび形状などにより、その取付け位置を変更することができる。たとえば、第１の開口部４１ｋから上方へ離れた個所に取付けることができる。この場合、磁石５３の磁力が強力であれば、収容部４１ｓから完全に離脱した状態で遊技球１００を磁石５３に吸着することができるため、取り出した遊技球１００を指で摘み易いという効果がある。
（３）把持部４１ａを合成樹脂により製造するときに磁石５３をインサート成形することもできる。
（４）把持部４１ａの全体または収容部４１ｓの周囲を透明、あるいは透光性を有する材料により形成することもできる。この構成を使用すれば、収容部４１ｓに遊技球１００が収容されているどうかを瞬時に判断することができる。
【００５７】
＜第３実施形態＞
次に、この発明の第３実施形態について図５および図６を参照して説明する。
この実施形態のパチンコ機は、収容部に収容された遊技球を押出し部材を用いて取り出すことができることを特徴とする。
図５（Ａ）は、発射ハンドルの近傍を示す正面図であり、図５（Ｂ）は、図５（Ａ）の右側面図である。図５（Ｃ）は、図５（Ｂ）において破線で囲んだ範囲Ｆの断面図を拡大して示す説明図であり、図５（Ｄ）は、押圧部材の取り付け構造を示す断面拡大図である。図６（Ａ）は、収容部に収容された遊技球によりレバー部材の回動状態が保持された状態を示す右側面図であり、図６（Ｂ）は、図６（Ａ）において破線で囲んだ範囲Ｇの断面図を拡大して示す説明図である。図６（Ｃ）は、図６（Ａ）に示す状態から収容部に収容されていた遊技球が取り出されたところを示す説明図であり、図６（Ｄ）は、図６（Ｃ）において破線で囲んだ範囲Ｈの断面図を拡大して示す説明図である。なお、第１実施形態と同一の構成については同一の符号を使用し、説明を省略する。
【００５８】
図５（Ｃ）に示すように、発射ハンドル６０には、レバー部材６１が備えられており、そのレバー部材６１には把持部６１ａが外方に突出形成されている。把持部６１ａの裏面には、前記第１実施形態の押圧部材４１ｃと同じ作用をする押圧部材６１ｃが形成されており、その押圧部材６１ｃの下部には、前記第１実施形態の収容部４１ｓと同じ作用をする収容部６１ｓが形成されている。
図５（Ｄ）に示すように、押出し部材６２は、棒状の軸部６２ｂを備えており、その軸部６２ｂの前端には軸部６２ｂよりも大径の指当て部６２ａが形成されており、後端には軸部６２ｂよりも大径の押出部６２ｃが形成されている。
また、収容部６１ｓの内部であって把持部６１ａの裏面には、突出部６１ｄが収容部６１ｓの内部に向かって突出形成されており、突出部６１ｄには、押出し部材６２の軸部６２ｂが挿通される軸孔６１ｅが前後方向に貫通形成されている。把持部６１ａの前面であって軸孔６１ｅと連通する部分には、押出し部材６２の押出部６２ｃを収容可能な凹部６１ｆが形成されている。押出し部材６２の軸部６２ｂは、軸孔６１ｅの軸長よりも長く形成されており、軸孔６１ｅ内を前後方向に移動可能になっている。
【００５９】
図６（Ｂ）に示すように、レバー部材６１を回動させた状態において、遊技球１００を第１の開口部６１ｋから収容部６１ｓへ押し込むと、遊技球１００は、押圧部材６１ｃによる押圧力によりフランジ部４５ｂの外周面に押し付けられる。これにより、レバー部材６１の回動状態を保持することができる。また、収容部６１ｓに収容された遊技球１００により、押出し部材６２が前方に押し出され、押出し部材６２の指当て部６２ａが凹部６１ｆから前方へ突出した状態になる。また、遊技球１００は、押出部６２ｃに当接するため、第１実施形態の場合のように収容部６１ｓの奥まで到達せず、既に第１の開口部６１ｋ側に寄った状態になる。
次に、指で押出し部材６２の指当て部６２ａをパチンコ機１０の方向へ押すと、押出し部材６２の押出部６２ｃによって遊技球１００が第１の開口部６１ｋの方向に押し出され、収容部６１ｓから取り出すことができる（図６（Ｄ））。これにより、レバー部材６１の回動状態を解除することができる。
【００６０】
［第３実施形態の効果］
（１）以上のように、第３実施形態のパチンコ機１０を使用すれば、第１の開口部６１ｋと対向する側には、収容部６１ｓに収容された遊技球１００を押出すための押出し部材６２が備えられているため、収容部６１ｓに収容された遊技球１００を直接指で第１の開口部６１ｋの方向へ押す場合よりも、指に負担をかけることなく、遊技球１００を収容部６１ｓから取り出すことができる。
（２）しかも、遊技球１００は、収容部６１ｓに収容された状態では、収容部６１ｓに突出した押出し部材６２の押出部６２ｃに当接するため、既に第１の開口部６１ｋ側に寄った状態になるので、押すストロークが小さくて済む。
（３）また、遊技球１００が収容部６１ｓに収容されている場合は、押出し部材６２の指当て部６２ａが凹部６１ｆから前方へ突出するため、その状態を見れば遊技球１００が収容部６１ｓに収容されていることが一目瞭然に分かる。
【００６１】
［変更例］
（１）指当て部６２ａを把持部６１ａとは異なる色によって形成することもできる。この構成を使用すれば、指当て部６２ａの位置を容易に知ることができるため、より一層操作性を向上させることができる。
（２）また、凹部６１ｆを把持部６１ａとは異なる色によって形成することもできる。この構成を使用すれば、指当て部６２ａが前方へ突出している場合は、凹部６１ｆの着色部分が見え、突出していない場合は見えない。したがって、凹部６１ｆの着色部分が見えるかどうかにより、収容部６１ｓに遊技球１００が収容されているかどうかを瞬時に判断することができる。
（３）押出し部材６２、凹部６１ｆおよび突出部６１ｄの形状および構造は、前記のものに限定されるものではなく、適宜変更することができる。
（４）把持部６１ａの全体または収容部６１ｓの周囲を透明、あるいは透光性を有する材料により形成することもできる。この構成を使用すれば、収容部６１ｓに遊技球１００が収容されているどうかを瞬時に判断することができる。
【００６２】
＜第４実施形態＞
次に、この発明の第４実施形態について図７および図８を参照して説明する。
この実施形態のパチンコ機は、把持部を覆うカバーと押出し部材とが兼用になっていることを特徴とする。
図７（Ａ）は、発射ハンドルの近傍を示す正面図であり、図７（Ｂ）は、図７（Ａ）の右側面図であり、図７（Ｃ）は、図７（Ｂ）において破線で囲んだ範囲Ｊの断面図を拡大して示す説明図である。図８（Ａ）は、収容部に収容された遊技球によりレバー部材の回動状態が保持された状態を示す右側面図であり、図８（Ｂ）は、図８（Ａ）において破線で囲んだ範囲Ｋの断面図を拡大して示す説明図である。図８（Ｃ）は、図８（Ａ）に示す状態から収容部に収容されていた遊技球が取り出されたところを示す説明図であり、図８（Ｄ）は、図８（Ｃ）において破線で囲んだ範囲Ｌの断面図を拡大して示す説明図である。なお、第１実施形態と同一の構成については同一の符号を使用し、説明を省略する。
【００６３】
図７（Ａ）に示すように、発射ハンドル７０には、レバー部材７１が備えられており、そのレバー部材７１には把持部７１ａが外方に突出形成されている。図７（Ｃ）に示すように、把持部７１ａにはゴム製のカバー７２が被せられており、そのカバー７２には、押出し部材７３が一体形成されている。把持部７１ａの裏面には、第１実施形態の押圧部材４１ｃと同じ作用をする押圧部材７１ｃが形成されており、その押圧部材７１ｃの下部には、前記第１実施形態の収容部４１ｓと同じ作用をする収容部７１ｓが形成されている。収容部７１ｓの第１の開口部７１ｋと対向する側の把持部７１ａには、孔が前後方向に貫通形成されている。その孔は、押出し部材７３によって閉塞されており、押出し部材７３の裏面から突出するように一体形成された突起部７３ａが上記孔に挿通されている。
【００６４】
図８（Ｂ）に示すように、レバー部材７１を回動させた状態において、遊技球１００を第１の開口部７１ｋから収容部７１ｓへ押し込むと、遊技球１００は、押圧部材７１ｃによる押圧力によりフランジ部４５ｂの外周面に押し付けられる。これにより、レバー部材７１の回動状態を保持することができる。また、収容部７１ｓに収容された遊技球１００は、収容部７１ｓに突出した突起部７３ａの先端に当接した状態になるため、既に第１の開口部７１ｋ側に寄った状態になる。
次に、押出し部材７３の表面のうち、突起部７３ａの基部に対応する位置を指で押すと、図８（Ｄ）に示すように、指で押した部分が押した方向へ弾性変形し、突起部７３ａによって遊技球１００が第１の開口部７１ｋの方向に押し出され、収容部７１ｓから取り出すことができる。これにより、レバー部材７１の回動状態を解除することができる。
【００６５】
［第４実施形態の効果］
（１）以上のように、第４実施形態のパチンコ機１０を使用すれば、把持部７１ａの所定範囲を覆うカバー７２と押出し部材７３とが一体形成されているため、把持部７１ａを覆うものと押出し部材とを兼用できる。
したがって、把持部７１ａを覆うものと押出し部材とを個別に設けた構成と比較して、部品点数を減少させることができるため、パチンコ機１０の製造コストを低減することができる。
（２）しかも、押出し部材７３のうち、第１の開口部７１ｋと対向する側には、収容部７１ｓに収容された遊技球１００を押出すための押出し部材７３が備えられているため、収容部７１ｓに収容された遊技球１００を直接指で第１の開口部７１ｋの方向へ押す場合よりも、指に負担をかけることなく、遊技球１００を収容部７１ｓから取り出すことができる。特に、押出し部材７３はゴム製であるため、指にかかる力を緩和することができる。
（３）また、遊技球１００は、収容部７１ｓに収容された状態では、収容部７１ｓに突出した突起部７３ａの先端に当接するため、既に第１の開口部７１ｋ側に寄った状態になるので、押すストロークが小さくて済む。
（４）把持部７１ａがカバー７２により覆われているため、把持部７１ａを汚れや傷から防止できる。また、カバー７２を外して洗うこともできるし、交換したりすることもできる。さらに、カバー７２がゴム製であるため、滑り難く、誤操作を防止できる。
【００６６】
［変更例］
（１）カバー７２および押出し部材７３は、ゴム製の他、ナイロン、ビニールなどの軟質系の材料により形成することもできる。
（２）押出し部材７３の表面のうち、突起部７３ａの基部に対応する部分に印を付けたり、あるいは周囲とは異なる色に着色することもできる。この構成を使用すれば、指で押す個所を瞬時に知ることができる。
（３）把持部７１ａ、カバー７２および押出し部材７３のうち、少なくとも収容部７１ｓの周囲の把持部７１ａおよび押出し部材７３を透明、あるいは透光性を有する材料により形成することもできる。この構成を使用すれば、収容部７１ｓに遊技球１００が収容されているどうかを瞬時に判断することができる。
【００６７】
＜第５実施形態＞
次に、この発明の第５実施形態について図９および図１０を参照して説明する。
この実施形態のパチンコ機は、把持部を覆うカバーと押出し部材とが兼用になっており、かつ、押す位置が容易に分かることを特徴とする。
図９（Ａ）は、発射ハンドルの近傍を示す正面図であり、図９（Ｂ）は、図９（Ａ）の右側面図であり、図９（Ｃ）は、図９（Ｂ）において破線で囲んだ範囲Ｍの断面図を拡大して示す説明図である。図１０（Ａ）は、収容部に収容された遊技球によりレバー部材の回動状態が保持された状態を示す右側面図であり、図１０（Ｂ）は、図１０（Ａ）において破線で囲んだ範囲Ｎの断面図を拡大して示す説明図である。図１０（Ｃ）は、図１０（Ａ）に示す状態から収容部に収容されていた遊技球が取り出されたところを示す説明図であり、図１０（Ｄ）は、図１０（Ｃ）において破線で囲んだ範囲Ｐの断面図を拡大して示す説明図である。なお、第４実施形態と同一の構成については同一の符号を使用し、説明を省略する。
【００６８】
図９（Ａ）に示すように、発射ハンドル８５には、レバー部材７１が備えられており、そのレバー部材７１には把持部７１ａが外方に突出形成されている。図９（Ｃ）に示すように、把持部７１ａにはゴム製のカバー８２が被せられており、そのカバー８２には、押出し部材８３が一体形成されている。収容部７１ｓの第１の開口部７１ｋと対向する側の把持部７１ａには、孔が前後方向に貫通形成されている。その孔は、押出し部材８３によって閉塞されており、押出し部材８３の裏面から突出するように一体形成された突起部８３ａが上記孔に挿通されている。また、押出し部材８３のうち、上記孔を閉塞する部分の表面、つまり突起部８３ａの基部と対応する個所には、円弧形状に外方に膨らんだ膨出部８３ｂが形成されている。
図１０（Ｂ）に示すように、レバー部材７１を回動させた状態において、遊技球１００を第１の開口部７１ｋから収容部７１ｓへ押し込むと、遊技球１００は、押圧部材７１ｃによる押圧力によりフランジ部４５ｂの外周面に押し付けられる。これにより、レバー部材７１の回動状態を保持することができる。また、収容部７１ｓに収容された遊技球１００は、収容部７１ｓに突出した突起部８３ａの先端に当接した状態になるため、既に第１の開口部７１ｋ側に寄った状態になる。
次に、カバー８３の膨出部８３ｂを指で押すと、図１０（Ｄ）に示すように、膨出部８３ｂが押した方向へ弾性変形し、突起部８３ａによって遊技球１００が第１の開口部７１ｋの方向に押し出され、収容部７１ｓから取り出すことができる。これにより、レバー部材７１の回動状態を解除することができる。
【００６９】
［第５実施形態の効果］
（１）以上のように、第５実施形態のパチンコ機１０を使用すれば、把持部７１ａの所定範囲を覆うカバー８２と押出し部材８３とが一体形成されているため、把持部７１ａを覆うものと押出し部材とを兼用できる。
したがって、把持部７１ａを覆うものと押出し部材とを個別に設けた構成と比較して、部品点数を減少させることができるため、パチンコ機１０の製造コストを低減することができる。
（２）しかも、第１の開口部７１ｋと対向する側には、収容部７１ｓに収容された遊技球１００を押出すための押出し部材８３が備えられているため、収容部７１ｓに収容された遊技球１００を直接指で第１の開口部７１ｋの方向へ押す場合よりも、指に負担をかけることなく、遊技球１００を収容部７１ｓから取り出すことができる。特に、押出し部材７３はゴム製であるため、指にかかる力を緩和することができる。
（３）また、遊技球１００は、収容部７１ｓに収容された状態では、収容部７１ｓに突出した突起部８３ａの先端に当接するため、既に第１の開口部７１ｋ側に寄った状態になるので、押すストロークが小さくて済む。
（４）把持部７１ａがカバー８２により覆われているため、把持部７１ａを汚れや傷から防止できる。また、カバー８２を外して洗うこともできるし、交換したりすることもできる。さらに、カバー８２がゴム製であるため、滑り難く、誤操作を防止できる。
【００７０】
［変更例］
（１）カバー８２および押出し部材８３は、ゴム製の他、ナイロン、ビニールなどの軟質系の材料により形成することもできる。
（２）押出し部材８３の表面のうち、突起部８３ａの基部に対応する部分に印を付けたり、あるいは周囲とは異なる色に着色することもできる。この構成を使用すれば、指で押す個所を瞬時に知ることができる。
（３）把持部７１ａ、カバー８２および押出し部材８３のうち、少なくとも収容部７１ｓの周囲の把持部７１ａおよび押出し部材８３を透明、あるいは透光性を有する材料により形成することもできる。この構成を使用すれば、収容部７１ｓに遊技球１００が収容されているどうかを瞬時に判断することができる。
【００７１】
＜第６実施形態＞
次に、この発明の第６実施形態について図１１および図１２を参照して説明する。
この実施形態のパチンコ機は、把持部を覆うカバーと押出し部材とが兼用になっていることを特徴とする。
図１１（Ａ）は、発射ハンドルの近傍を示す正面図であり、図１１（Ｂ）は、図１１（Ａ）の右側面図であり、図１１（Ｃ）は、図１１（Ｂ）において破線で囲んだ範囲Ｑの断面図を拡大して示す説明図である。図１２（Ａ）は、収容部に収容された遊技球によりレバー部材の回動状態が保持された状態を示す右側面図であり、図１２（Ｂ）は、図１２（Ａ）において破線で囲んだ範囲Ｒの断面図を拡大して示す説明図である。図１２（Ｃ）は、図１２（Ａ）に示す状態から収容部に収容されていた遊技球が取り出されたところを示す説明図であり、図１２（Ｄ）は、図１２（Ｃ）において破線で囲んだ範囲Ｓの断面図を拡大して示す説明図である。なお、第１実施形態と同一の構成については同一の符号を使用し、説明を省略する。
【００７２】
図１１（Ａ）に示すように、発射ハンドル９０には、第１実施形態と同一のレバー部材４１が備えられており、そのレバー部材４１には把持部４１ａが外方に突出形成されている。図１１（Ｃ）に示すように、把持部４１ａにはゴム製のカバー９１が被せられており、そのカバー９１には、押出し部９２が一体形成されている。収容部４１ｓの第１の開口部４１ｋと対向する側の把持部４１ａには、第２の開口部４１ｂが開口形成されている。その第２の開口部４１ｂは、押出し部９２によって閉塞されている。
図１２（Ｂ）に示すように、レバー部材４１を回動させた状態において、遊技球１００を第１の開口部４１ｋから収容部４１ｓへ押し込むと、遊技球１００は、押圧部材４１ｃによる押圧力によりフランジ部４５ｂの外周面に押し付けられる。これにより、レバー部材４１の回動状態を保持することができる。また、押出し部９２のうち、遊技球１００により押されている部分は、弾性変形して外方に膨らんでいる。
次に、その膨らんでいる部分を介して遊技球１００を指で押すと、図１２（Ｄ）に示すように、遊技球１００は第１の開口部４１ｋの方向に押し出され、収容部４１ｓから取り出すことができる。これにより、レバー部材４１の回動状態を解除することができる。また、押出し部９２の膨らんでいた部分は、元の平面形状に戻る。
【００７３】
［第６実施形態の効果］
（１）以上のように、第６実施形態のパチンコ機１０を使用すれば、把持部４１ａの所定範囲を覆うカバー９１と押出し部９２とが一体形成されているため、把持部４１ａを覆うものと押出し部とを兼用できる。
したがって、把持部４１ａを覆うものと押出し部とを個別に設けた構成と比較して、部品点数を減少させることができるため、パチンコ機１０の製造コストを低減することができる。
（２）しかも、第２の開口部４１ｂに設けられている押出し部９２は、第２の開口部４１ｂから露出した遊技球の一部によって押されると弾性変形するゴムにより形成されているため、その変形した部分を見ることにより、遊技球１００が収容部４１ｓに収容されていることが容易に分かる。また、収容部４１ｓに収容された遊技球１００を第２の開口部４１ｂから第１の開口部４１ｋへ押す際に、押出し部９２を押圧する指にかかる力を緩和することができる。特に、押出し部材７３はゴム製であるため、指にかかる力を緩和することができる。
（３）把持部４１ａがカバー９１により覆われているため、把持部４１ａを汚れや傷から防止できる。また、カバー９１を外して洗うこともできるし、交換したりすることもできる。さらに、カバー９１がゴム製であるため、滑り難く、誤操作を防止できる。
【００７４】
［変更例］
（１）カバー９１および押出し部９２は、ゴム製の他、ナイロン、ビニールなどの軟質系の材料により形成することもできる。
（２）押出し部９２の表面のうち、指で押す部分に印を付けたり、あるいは周囲とは異なる色に着色することもできる。この構成を使用すれば、指で押す個所を瞬時に知ることができる。
（３）把持部４１ａ、カバー９１および押出し部９２のうち、少なくとも収容部４１ｓの周囲の把持部４１ａおよび押出し部９２を透明、あるいは透光性を有する材料により形成することもできる。この構成を使用すれば、収容部４１ｓに遊技球１００が収容されているどうかを瞬時に判断することができる。
【００７５】
＜第７実施形態＞
次に、この発明の第７実施形態について図１３（Ａ）および図１３（Ｂ）を参照して説明する。
この実施形態のパチンコ機は、指で押しては遊技球を取出すことができない場合の対策を講じたことを特徴とする。
図１３（Ａ）は、レバー部材４１が回動された状態の断面図であり、図１３（Ｂ）は、レバー部材４１が回動前の位置に復帰した状態の断面図である。なお、第１実施形態と同一の構成については同一の符号を使用し、説明を省略する。
【００７６】
ベース部材４５のフランジ部４５ｂの周面であって、レバー部材４１が回動していない場合に収容部４１ｓに収容された遊技球１００と当接する個所には、内方に向かってへこんだ凹部４５ｃが形成されている。その凹部４５ｃの最深部と押圧部材４１ｃの下面との間隔は、遊技球１００の直径よりも大きく形成されている。
図１３（Ａ）に示すように、レバー部材４１を回動させた状態にして、遊技球１００を収容部４１ｓに押し込んだ場合に、強く押し込み過ぎて押圧部材４１ｃによる押圧力が過剰となり、遊技球１００を押し出すことができなくなる場合がある。
そこで、図１３（Ｂ）に示すように、レバー部材４１を回動前の位置まで戻すと、遊技球１００に対する押圧力がなくなるため、遊技球１００を押し出すことができる。
【００７７】
＜第８実施形態＞
次に、この発明の第８実施形態について図１３（Ｃ）を参照して説明する。
この実施形態のパチンコ機は、レバー部材の回動保持状態を強固に維持できることを特徴とする。図１３（Ｃ）は、レバー部材４１が回動された状態の断面図である。なお、第１実施形態と同一の構成については同一の符号を使用し、説明を省略する。
【００７８】
ベース部材４５のフランジ部４５ｂの周面であって、多くの遊技者がレバー部材４１の回動状態を保持する個所には、内方に向かってへこんだ凹部４５ｄが形成されている。
収容部４１ｓに収容された遊技球１００が凹部４５ｄにはまった状態で押圧部材４１ｃにより押圧されている状態では、遊技球１００が凹部４５ｄから抜け出ようとすると、押圧部材４１ｃの下面とフランジ部４５ｂとの間隔が小さくなろうとするため、押圧力に対する反作用により、押圧力が増大することになるので、遊技球１００が凹部４５ｄから離脱することが困難となる。
したがって、凹部４５ｄを利用しない場合よりも、レバー部材４１の回動状態をより一層強固に保持することができる。
また、逆に、凹部４５ｄを利用すれば、凹部４５ｄを利用しない場合よりも小さな押圧力で遊技球１００を押圧してもレバー部材４１の回動状態を保持することができるため、収容部４１ｓに収容されている遊技球１００を押し出すときの力が小さくて済む。
なお、図１３（Ａ）〜（Ｃ）に示す把持部４１ａの全体または収容部４１ｓの周囲を透明あるいは透光性を有する材料により形成することもできる。この構成を使用すれば、収容部４１ｓに遊技球１００が収容されているかどうかを瞬時に判断することができる。
【００７９】
＜他の実施形態＞
（１）図１４（Ａ）は他の実施形態を示し、回動保持部材が収容部に押し込まれた状態を示す部分断面図である。なお、第２実施形態と同一の構成については同一の符号を使用し、説明を省略する。
回動保持部材１１０はゴム性材料により、弾丸形状に形成されている。回動保持部材１１０は、第１の開口部４１ｋの高さよりも小さく、かつ、第２の開口部４１ｂよりも大きい直径に形成されている。回動保持部材１１０の半球状の頭部１１１を第１の開口部４１ｋから収容部４１ｓの内部に押し込むと、頭部１１１は、リブ壁４１ｈの下面とフランジ部４５ｂの外周面とによる押圧力により弾性変形し、頭部１１１の下面がフランジ部４５ｂの外周面に密着する。これにより、頭部１１１の下面とフランジ部４５ｂとの間に摩擦が発生し、レバー部材４１の回動状態が保持される。特に、回動保持部材１１０はゴム性材料により形成されているため、金属製の遊技球１００を使用した場合よりも、摩擦力が大きいので、レバー部材４１の回動状態を強固に保持することができる。
【００８０】
（２）図１４（Ｂ）は他の実施形態を示し、遊技球１００が収容部４１ｓから取り出された状態を示す部分断面図である。なお、第２実施形態と同一の構成については同一の符号を使用し、説明を省略する。
ベース部材４５のフランジ部４５ｂの後部には、回動保持部材１１０の脱落を防止するための脱落防止部材５５が設けられている。脱落防止部材５５は、
両側面に三角形状の側壁５５ａを備えており、断面が略Ｌ字形状（たとえば、ショベルカーのショベルの形状）に形成されている。また、脱落防止部材５５は、フランジ部４５ｂと一体形成または別個に形成されている。
収容部４１ｓに収容されている遊技球１００を第２の開口部４１ｂから第１の開口部４１ｋに向かって押し出すと、遊技球１００は、第２の開口部４１ｋから後方へ流下し、脱落防止部材５５の内部に保持される。
したがって、遊技球１００が発射ハンドル４０の下方に落下してしまうおそれがない。
（３）押圧部材４１ｃに代えて、遊技球１００の頭部を押圧する部材と、この部材を下端に取付けたバネ（コイルスプリングまたは板バネなど）とを使用して遊技球１００を押圧することもできる。
（４）押圧部材４１ｃの下面を凹凸形状、あるいはザラザラした面に形成することもできる。この構成を使用すれば、押圧部材４１ｃと遊技球１００との間に発生する摩擦力を大きくすることができるため、遊技球１００を収容部から離脱し難くすることができる。
【００８１】
［各請求項と実施形態との対応関係］
遊技球１００が、請求項１に記載の回動保持部材に対応し、磁石５３および脱落防止部材５５が請求項９に記載の脱落防止手段に対応する。
【図面の簡単な説明】
【図１】この発明の第１実施形態に係るパチンコ機の主要構成を示す正面図である。
【図２】図２（Ａ）は、発射ハンドル４０の近傍を示す正面図であり、図２（Ｂ）は、図２（Ａ）の右側面図であり、図２（Ｃ）は、図２（Ｂ）に示す発射ハンドル４０のＡ−Ａ矢視断面説明図である。
【図３】図３（Ａ）は、収容部に収容された遊技球によりレバー部材の回動状態が保持された状態を示す右側面図であり、図３（Ｂ）は、図３（Ａ）において破線で囲んだ範囲Ｃの断面図を拡大して示す説明図である。図３（Ｃ）は、図３（Ａ）に示す状態から収容部に収容されていた遊技球が取り出されたところを示す説明図であり、図３（Ｄ）は、図３（Ｃ）において破線で囲んだ範囲Ｄの断面図を拡大して示す説明図である。図３（Ｅ）は、図３（Ｂ）において破線で囲んだ範囲Ｅを拡大して示す説明図であり、図３（Ｆ）は、図２（Ｃ）に示すレバー部材の裏面の一部を拡大して示す説明図である。
【図４】図４（Ａ）は、第２実施形態における発射ハンドルをパチンコ機の前面と平行に切断した場合の断面を裏面から見た説明図であり、図４（Ｂ）は、図４（Ａ）に示す発射ハンドルにおいて収容部に遊技球がはめ込まれている状態をパチンコ機の前面と直交する方向に切断した場合の断面説明図であり、図４（Ｃ）は、図４（Ｂ）において収容部から離脱しようとした遊技球が磁石に吸着された状態を示す断面説明図である。
【図５】図５（Ａ）は、第３実施形態における発射ハンドルの近傍を示す正面図であり、図５（Ｂ）は、図５（Ａ）の右側面図である。図５（Ｃ）は、図５（Ｂ）において破線で囲んだ範囲Ｆの断面図を拡大して示す説明図であり、図５（Ｄ）は、押圧部材の取り付け構造を示す断面拡大図である。
【図６】図６（Ａ）は、収容部に収容された遊技球によりレバー部材の回動状態が保持された状態を示す右側面図であり、図６（Ｂ）は、図６（Ａ）において破線で囲んだ範囲Ｇの断面図を拡大して示す説明図である。図６（Ｃ）は、図６（Ａ）に示す状態から収容部に収容されていた遊技球が取り出されたところを示す説明図であり、図６（Ｄ）は、図６（Ｃ）において破線で囲んだ範囲Ｈの断面図を拡大して示す説明図である。
【図７】図７（Ａ）は、第４実施形態における発射ハンドルの近傍を示す正面図であり、図７（Ｂ）は、図７（Ａ）の右側面図であり、図７（Ｃ）は、図７（Ｂ）において破線で囲んだ範囲Ｊの断面図を拡大して示す説明図である。
【図８】図８（Ａ）は、収容部に収容された遊技球によりレバー部材の回動状態が保持された状態を示す右側面図であり、図８（Ｂ）は、図８（Ａ）において破線で囲んだ範囲Ｋの断面図を拡大して示す説明図である。図８（Ｃ）は、図８（Ａ）に示す状態から収容部に収容されていた遊技球が取り出されたところを示す説明図であり、図８（Ｄ）は、図８（Ｃ）において破線で囲んだ範囲Ｌの断面図を拡大して示す説明図である。
【図９】図９（Ａ）は、第５実施形態における発射ハンドルの近傍を示す正面図であり、図９（Ｂ）は、図９（Ａ）の右側面図であり、図９（Ｃ）は、図９（Ｂ）において破線で囲んだ範囲Ｍの断面図を拡大して示す説明図である。
【図１０】図１０（Ａ）は、収容部に収容された遊技球によりレバー部材の回動状態が保持された状態を示す右側面図であり、図１０（Ｂ）は、図１０（Ａ）において破線で囲んだ範囲Ｎの断面図を拡大して示す説明図である。図１０（Ｃ）は、図１０（Ａ）に示す状態から収容部に収容されていた遊技球が取り出されたところを示す説明図であり、図１０（Ｄ）は、図１０（Ｃ）において破線で囲んだ範囲Ｐの断面図を拡大して示す説明図である。
【図１１】図１１（Ａ）は、第６実施形態における発射ハンドルの近傍を示す正面図であり、図１１（Ｂ）は、図１１（Ａ）の右側面図であり、図１１（Ｃ）は、図１１（Ｂ）において破線で囲んだ範囲Ｑの断面図を拡大して示す説明図である。
【図１２】図１２（Ａ）は、収容部に収容された遊技球によりレバー部材の回動状態が保持された状態を示す右側面図であり、図１２（Ｂ）は、図１２（Ａ）において破線で囲んだ範囲Ｒの断面図を拡大して示す説明図である。図１２（Ｃ）は、図１２（Ａ）に示す状態から収容部に収容されていた遊技球が取り出されたところを示す説明図であり、図１２（Ｄ）は、図１２（Ｃ）において破線で囲んだ範囲Ｓの断面図を拡大して示す説明図である。
【図１３】図１３（Ａ）は、第７実施形態においてレバー部材４１が回動された状態の断面図であり、図１３（Ｂ）は、レバー部材４１が回動前の位置に復帰した状態の断面図である。図１３（Ｃ）は、第８実施形態においてレバー部材４１が回動された状態の断面図である。
【図１４】図１４（Ａ）は他の実施形態を示し、回動保持部材が収容部に押し込まれた状態を示す部分断面図である。図１４（Ｂ）は他の実施形態を示し、遊技球１００が収容部４１ｓから取り出された状態を示す部分断面図である。
【図１５】従来のパチンコ機に備えられた発射ハンドルおよび発射装置の構成を示す分解斜視図である。
【図１６】特開２０００−１６７１２６号公報に記載の発射ハンドルの断面を裏面から見た説明図である。
【符号の説明】
１０　　パチンコ機（遊技機）
１７　　遊技盤
４０　　発射ハンドル
４１　　レバー部材
４１ａ　把持部
４１ｂ　第２の開口部
４１ｃ　押圧部材（押圧手段）
４１ｋ　第１の開口部
４１ｓ　収容部
４５　　ベース部材
４５ｂ　フランジ部
【図１】
2004008534.tif 000003
【図２】
2004008534.tif 000004
【図３】
2004008534.tif 000005
【図４】
2004008534.tif 000006
【図５】
2004008534.tif 000007
【図６】
2004008534.tif 000008
【図７】
2004008534.tif 000009
【図８】
2004008534.tif 000010
【図９】
2004008534.tif 000011
【図１０】
2004008534.tif 000012
【図１１】
2004008534.tif 000013
【図１２】
2004008534.tif 000014
【図１３】
2004008534.tif 000015
【図１４】
2004008534.tif 000016
【図１５】
2004008534.tif 000017
【図１６】
2004008534.tif 000018